(57)【要約】【課題】植物の育成の促進を図る栽培床を提供する。【解決手段】第一表面１、第二表面２、第一表面１の周囲と第二表面２の周囲を接続する側面３を有し、側面３に設けられた第一表面１から第二表面２まで通じる苗の挿入するための一つ以上の切り欠き部１３と、第一表面１から第二表面２まで通じる一つ以上の通気部１４、１５とを備える、栽培床１００である。【選択図】図１
2016010388.tif 000002
【特許請求の範囲】
【請求項１】
第一表面、第二表面、及び前記第一表面の周囲と前記第二表面の周囲を接続する側面を有する栽培床であって、
前記側面に設けられた、前記第一表面から前記第二表面まで通じる苗を挿入するための一つ以上の切り欠き部と、
前記第一表面から前記第二表面まで通じる一つ以上の通気部と
を備えることを特徴とする栽培床。
【請求項２】
前記一つ以上の通気部は、前記栽培床の内側に設けられた貫通孔であることを特徴とする請求項１に記載の栽培床。
【請求項３】
前記一つ以上の通気部は、前記一つ以上の切り欠き部の各々の近傍に設けられることを特徴とする、請求項１または請求項２に記載の栽培床。
【請求項４】
前記側面は、隣接する別の栽培床の突出部と重なり合う突出部を備えることを特徴とする請求項１から請求項３までの何れか一項に記載の栽培床。
【請求項５】
前記第一表面と前記第二表面の形状は、略長方形であって、前記側面は、第一側面部、及び前記第一側面部の反対に位置する第二側面部を有し、前記一つ以上の切り欠き部が、前記第一側面部と前記第二側面部のうちの少なくとも一つの側面部に設けられていることを特徴とする請求項４に記載の栽培床。
【請求項６】
前記一つ以上の通気部は、前記一つ以上の切り欠き部を有する側面部の反対に位置する側面部の近傍であって、前記一つ以上の切り欠き部の各々から前記一つ以上の切り欠き部を有する側面部に対して略垂直方向に設けられることを特徴とする請求項５に記載の栽培床。
【請求項７】
前記突出部は、前記第一側面部に設けられた第一突出部分、または／および、前記第二側面部に設けられた第二突出部分を有することを特徴とする請求項５または請求項６に記載の栽培床。
【請求項８】
前記第一側面部と前記第二側面部の少なくとも一つの側面部は、一つ以上の凹部、及び一つ以上の凸部を備えた形状であることを特徴とする請求項５から請求項７までの何れか一項に記載の栽培床。
【請求項９】
前記第一側面部、及び前記第二側面部は、１つ以上の凹部、及び１つ以上の凸部を備えた形状であって、前記第一側面部の前記１つ以上の凹部、及び前記一つ以上の凸部の各々から前記第一側面部に対して略垂直方向に、前記第二側面部の前記一つ以上の凸部、及び前記一つ以上の凹部の各々が、それぞれ配置されていることを特徴とする請求項５から請求項７までの何れか一項に記載の栽培床。
【請求項１０】
請求項１から請求項９までの何れか一項に記載の栽培床を含む栽培床群と、
養液プールと
を備えた植物栽培装置であって、
前記養液プールは、
養液を供給するための養液供給部と、
前記養液を排出するための養液排出部と、
炭酸ガスを供給するための炭酸ガス供給部と、
前記養液プールの凹形状部分の少なくとも一部を覆うように前記栽培床群を戴置するための栽培床群戴置台と
を備えていることを特徴とする植物栽培装置。
【請求項１１】
前記養液プールは、略直方体であって、略直方体の側面において第一側部、及び前記第一側部の反対面に位置する第二側部を有し、前記第一側部に前記養液供給部を備え、前記第二側部に前記養液排出部を備えることを特徴とする請求項１０に記載の植物栽培装置。
【請求項１２】
前記炭酸ガス供給部は、前記第一側部にあって、前記養液供給部の上方に備えられることを特徴とする請求項１１に記載の植物栽培装置。
【請求項１３】
請求項１０から請求項１２までの何れか一項に記載の植物栽培装置を使用して植物を栽培する方法であって、前記１つ以上の切り欠け部の各々の近傍に設けられる前記通気部から通気される炭酸ガスの合計量が、１．２〜１．６ｍ３／ｈになるように、前記炭酸ガス供給部から炭酸ガスを供給することを特徴とする植物栽培方法。
【発明の詳細な説明】
【技術分野】
【０００１】
本発明は、栽培床、該栽培床を使用する植物栽培装置、該植物栽培装置を使用する方法に関する。
【背景技術】
【０００２】
近年、安全な食料の供給、及び食材の周年供給を目的とした環境保全型の生産システムとして植物工場が注目されている。植物工場では、一般に、養液栽培を利用し、人工光または自然光（太陽光）を光源として植物を生育させる。また、温度、湿度、及び二酸化炭素の制御なども行われる。これらの技術により、季節に関わりのない植物の計画生産が可能になる。
【０００３】
特許文献１には、移植苗を育成する栽培床が開示されている。特許文献１には、一対の長い発泡スチロール製の分割ブロックから形成した栽培床が開示されている。この栽培床自体を多数並べて液面に浮遊させることが可能である。一対の両分割ブロック間に別の苗床から採取した苗を挟み込み、水槽の液（水又は水に養分を含ませたもの）面上に浮遊させ、毛細管現象によって揚水させ、または根部よって直接に養液を吸収させて水耕栽培を行う。
また、一対の一方の分割ブロックの横幅を小さくして、作物が大きく成長した場合にも、該一方の分割ブロックの外側面が一対の他方のブロックの外側面から突出しないように両分割ブロックを嵌合することにより、作物の成長による両分割ブロックの相対摺動を行える栽培床が開示されている。多数の栽培床を相互に密着した状態に並べ、液面の全面を覆うことにより光を遮断することができ、溶液中に藻が大量発生することを抑制することができる。
【先行技術文献】
【特許文献】
【０００４】
【特許文献１】実開昭５０-１５３１３９号公報
【発明の概要】
【発明が解決しようとする課題】
【０００５】
前述した特許文献１の栽培床では、嵌合した両分割ブロックの間に隙間が存在するために、液面への光を完全に遮断することができず、依然として藻が大量発生するという問題が生じていた。更に、苗の根が両分割ブロック間に挟まれるため、苗の根を痛める原因となっていた。
【０００６】
本発明の目的は、上述した従来の問題点を解決し、植物の育成の促進を図るための栽培床を提供し、該栽培床を含む植物栽培装置を提供すると共に、該植物栽培装置を使用して植物を栽培する方法を提供することである。
【課題を解決するための手段】
【０００７】
本発明の第一の観点によれば、第一表面、第二表面、及び第一表面の周囲と第二表面の周囲を接続する側面を有する栽培床であって、側面に設けられた、第一表面から第二表面まで通じる苗を挿入するための一つ以上の切り欠き部と、第一表面から第二表面まで通じる一つ以上の通気部とを備える栽培床が与えられる。
ここで、一つ以上の通気部は、栽培床の内側に設けられた貫通孔であってよい。
一つ以上の通気部は、一つ以上の切り欠き部の各々の近傍に設けられてよい。
側面は、隣接する別の栽培床の突出部と重なり合う突出部を備えてよい。
第一表面と第二表面の形状は、略長方形であって、側面は、第一側面部、及び第一側面部の反対に位置する第二側面部を有し、一つ以上の切り欠き部が、第一側面部と第二側面部のうちの少なくとも一つの側面部に設けられてよい。
一つ以上の通気部は、一つ以上の切り欠き部を有する側面部の反対に位置する側面部の近傍であって、一つ以上の切り欠き部の各々から一つ以上の切り欠き部を有する側面部に対して略垂直方向に設けられてよい。
突出部は、第一側面部に設けられた第一突出部分、または／および、第二側面部に設けられた第二突出部分を有してよい。
第一側面部と第二側面部の少なくとも一つの側面部は、一つ以上の凹部、及び一つ以上の凸部を備えた形状であってよい。
第一側面部、及び第二側面部は、１つ以上の凹部、及び１つ以上の凸部を備えた形状であって、第一側面部の１つ以上の凹部、及び一つ以上の凸部の各々から第一側面部に対して略垂直方向に、第二側面部の１つ以上の凸部、及び一つ以上の凹部の各々が、それぞれ配置されてよい。
【０００８】
本発明の第二の観点によれば、上記栽培床を含む栽培床群と、養液プールとを備えた植物栽培装置であって、養液プールは、養液を供給するための養液供給部と、養液を排出するための養液排出部と、炭酸ガスを供給するための炭酸ガス供給部と、養液プールの凹形状部分の少なくとも一部を覆うように栽培床群を戴置するための栽培床群戴置台とを備えている植物栽培装置が与えられる。
ここで、養液プールは、略直方体であって、略直方体の側面において第一側部、及び第一側部の反対に位置する第二側部を有し、第一側部に養液供給部を備え、第二側部に養液排出部を備えられてよい。
炭酸ガス供給部は、第一側部にあって、養液供給部の上方に備えてよい。
【０００９】
本発明の第三の観点によれば、上記植物栽培装置を使用して植物を栽培する方法であって、１つ以上の切り欠け部の各々の近傍に設けられる通気部から通気される炭酸ガスの合計量が、１．２〜１．６ｍ３／ｈになるように、炭酸ガス供給部から炭酸ガスを供給する植物栽培方法が与えられる。
【発明の効果】
【００１０】
本発明によれば、植物の栽培効率に優れている栽培床、植物栽培装置、及び、植物栽培方法が与えられる。
【００１１】
本発明によれば、栽培床の側面に切り欠け部を設けることにより苗を栽培床に挿入しやすくするとともに苗を痛めにくくし、栽培床に通気部を設けることにより炭酸ガスを苗の葉の裏側から吸収させやすくして光合成が促進されるという効果を有する。
通気部を栽培床の内側に貫通孔として設けることにより、切り欠き部に挿入された苗の葉に炭酸ガスが効果的に吸収されやすい部分に、通気部を配置することができるという効果を有する。
通気部が切り欠け部の近傍に設けられることにより、切り欠き部に挿入された苗の葉に炭酸ガスがより効果的に吸収されやすい部分に、通気部を配置することができるという効果を有する。ここで切り欠け部の近傍とは、苗の葉の下方に位置する栽培床の部分である。
側面に、隣接する別の栽培床の突出部と重なり合う突出部を備えることにより、隣接する栽培床の間から養液プールに浸される養液への光を遮断して藻の大量発生を抑えるという効果を有する。
栽培床の表面形状を略長方形とすることにより、複数の栽培床を縦横に連続して並べて配置しやすくなって、あらゆる大きさの植物栽培装置に見合うように栽培床を並べて配置することができる。
栽培床の側面に凹部と凸部を備えることによって、凹部と凸部の各々が、隣接する別の栽培床の側面にある凸部と凹部の各々に嵌合するので、複数の栽培床を連続して並べ配置しやすくなり、また、栽培床が隣接する栽培床に対して相対摺動せず、定植の作業効率が向上するという効果を有する。
植物栽培装置が、上記栽培床の中から何れかを１つの栽培床を含む栽培床群と、養液を浸すための凹形状部分と養液を供給するための養液供給部と養液を排出するための養液排出部と炭酸ガスを供給するための炭酸ガス供給部と栽培床群を戴置するための栽培床群戴置台とを設けた養液プールと、を備えることによって、苗を栽培床に挿入しやすくするとともに苗を痛めにくくし、栽培床に設けられた通気部から通気された炭酸ガスが苗の葉の裏側から吸収されやすくなって苗の光合成が促進され、また、養液面への光を遮断して藻の大量発生を抑えるという効果を有する。
養液供給部が略直方体である養液プールの第一側部にあって、養液排出部が第一側部の反対面に位置する第二側部に備えることによって、養液が養液プール内で一様に流れて、養液の養分が各々の苗の根に一様に吸収されるという効果を有する。
１つ以上の切り欠け部の各々の近傍に設けられた通気部から通気される炭酸ガスの合計量が、１．２〜１．６リューベ／時間になるように、炭酸ガス供給部から炭酸ガスを供給することによって、苗の葉の裏側から効率よく炭酸ガスを吸収させやすくして、苗の光合成が促進され、植物の定植から出荷までの期間が短くなるという効果を有する。
【図面の簡単な説明】
【００１２】
【図１】本発明の栽培床の構造の上面から見た一部透視図である。
【図２】本発明の栽培床の構造の図１のＡ方向から見た側面図である。
【図３】本発明の栽培床の構造の図１のＢ方向から見た側面図である。
【図４】本発明の別の栽培床の構造の上面から見た一部透視図である。
【図５】本発明の別の栽培床の構造の図３のＡ方向から見た側面図である。
【図６】本発明の図１の栽培床を使用した植物栽培装置の構造の上面から見た一部透視図である。
【図７】本発明の図３の栽培床を使用した植物栽培装置の構造の上面から見た一部透視図である。
【図８】本発明の植物栽培装置の構造の図５のＡ−Ａ線に沿った断面図である。
【図９】本発明の植物栽培装置の構造の図５のＢ方向から見た一部透視図である。
【図１０】本発明の植物栽培装置の構造の図５のＣ方向から見た側面図である。
【発明を実施するための形態】
【００１３】
以下に本発明を実施例により説明するが、本発明はこれらの実施例に限定されるものではない。また、全図面に渡り、対応する構成要素には共通の参照符号を付す。
【実施例１】
【００１４】
図１から図３に、本発明の第一の実施例を示す。栽培床１００は、第一表面１、第二表面２、及び第一表面１の周囲と第二表面２の周囲を接続する側面３を有する。栽培床１００は、側面３のうちの第一側面部４と第２側面部５に、第一表面１から第二表面２まで通じる栽培床１００に苗を挿入するための一つ以上の切り欠き部１３を備える。図１において、切り欠き部１３は、第一側面部４と第二側面部５の両側面に備えられるが、片方の側面だけに備えられてもよい。なお、切り欠き部１３は、苗を挿入するために適した形であれば、どのような形状でもよい。また、栽培床１００は、側面３のうちの第一側面部４と第二側面部５に、炭酸（二酸化炭素、ＣＯ２）ガスを通気するために、第一表面１から第二表面２まで通じる一つ以上の通気部１４、１５を備える。栽培床をこのような構成にすることにより、苗を栽培床１００に挿入しやすくするとともに苗を痛めにくくし、炭酸ガスを苗の葉の裏側から吸収させやすくして苗の光合成が促進される。
なお、栽培床１００としては、植物を栽培可能な材質であればどのようなものでも使用することができ、例えば、発泡スチロールを使用することができる。また、栽培床は平面状のものが好ましく、厚さとしては、例えば、約１５ｍｍである。図１においては、栽培床の第一表面１と第二表面２の形状は略長方形であるが、栽培床として使用できるものであればどのような形状であってもよい。
【００１５】
通気部１４、１５は、貫通孔として栽培床の内側に設けられても、側面３に切り欠けのように設けられてもよい。図１に示すように、通気部１４、１５が栽培床１００の内側に貫通孔として設けられれば、望ましい位置から炭酸ガスを通気することができる。そして、図１に示すように、切り欠き部１３の各々の近傍、すなわち、苗の葉の下方に位置する栽培床の部分に通気部１４を設けることが好ましい。これにより、通気部１４から排出される炭酸ガスを、切り欠き部１３に挿入された苗の葉の裏側により吸収させやすくするようにして、苗の光合成を促進させて、植物より早く成長させることができる。例えば、切り欠き部１２より１ｃｍ以内に通気部１４を設けることが好ましい。
なお、図１では通気部１４は、切り欠き部１３の各々に対して１つ配置され、形状は円形であるが、複数配置されても構わないし、切り欠き部１２に挿入された苗の葉の裏側に炭酸ガスをより吸収させやすくするようになるのであれば、どのような形状でも構わない。また、通気部１４の形状の大きさは、その最も長い部分の長さが１ｃｍ以下であるような大きさであることが好ましい。
【００１６】
また、図１に示すように、切り欠き部１３を有する側面部（例えば、第一側面部４）の反対に位置する側面部（例えば、第二側面部５）の近傍、すなわち、隣接する別の栽培床１００の切り欠け部１３に挿入される苗の葉の下方に位置する栽培床の部分であって、切り欠け部１３から切り欠き部１３を有する側面部（例えば、第一側面部４）に対して略垂直方向に通気部１５を設けることが好ましい。これにより、通気部１５から通気される炭酸ガスを、隣接する別の栽培床１００にある切り欠き部１３に挿入された苗の葉の裏側により吸収させやすくするようにして、苗の光合成を促進させて、植物をより早く成長させることができる。例えば、第一側面部４の反対に位置する第二側面部５より１ｃｍ以内であって、第一側面部４の切り欠け部１３から第一側面部４に対して略垂直方向に通気部１５を設けることが好ましい。
なお、図１では通気部１５は、隣接する栽培床１００の切り欠き部１３の各々に対して１つ配置され、形状は円形であるが、複数配置されても構わないし、切り欠き部１３に挿入された苗の葉の裏側に炭酸ガスをより吸収させやすくするようになるのであれば、どのような形状でも構わない。また、通気部１５の形状の大きさは、その最も長い部分の長さが１ｃｍ以下であるような大きさであることが好ましい。
【００１７】
栽培床１００は、側面３において、隣接する別の栽培床１００の突出部８と重なり合う突出部８を備えている。突出部８として、例えば、図１から図３に、第一側面部４に設けられた第一突出部分９、第二側面部５に設けられた第二突出部分１０、第三側面部６に設けられた第三突出部分１１、第四側面部７に設けられた第四突出部分１２、が示される。一の栽培床１００の第一側面部４に設けられた第一突出部分９と、別の栽培床１００の第二側面部５に設けられた第二突出部分１０とが重なり合うことによって、重なり合う部分の下方の溶液プールに浸された養液への光を遮断して藻の大量発生を抑えることができる。また、一の栽培床１００の第三側面部６に設けられた第三突出部分１１と、更に別の培床１００の第四側面部７に設けられた第四突出部分１２とが重なり合うことによって、重なり合う部分の下方の溶液プールに浸された養液への光を遮断して藻の大量発生を抑えることができる。このように突出部を設けることによって、複数の栽培床を連続して並べて配置した場合であっても、隣接する栽培床の側面の間から養液面への光が遮断されることができる。
【００１８】
また、図２に示すように、栽培床１００の第一突出部分９は、第一表面１から栽培床１００の厚さまでのうちの第一の厚さ１６を有し、栽培床１００の第二突出部分１０は、第二表面２から栽培床１００の厚さまでのうちの第一の厚さ１６を除いた第二の厚さ１７を有している。これにより、一の栽培床１００と別の栽培床１００を連続して並べて配置する場合に、一の栽培床１００の第一側面部４の第一突出部分９と、隣接する別の栽培床１００の第二側面部５の第二突出部分１０とが重なり合うと、一の栽培床１００の第一突出部分１０の厚さ１６と隣接する別の栽培床１００の第二突出部分１１の厚さ１７の合計が、栽培床１００の厚さと同じになり、さらに複数の栽培床を連続して並べて配置しやすい。
【実施例２】
【００１９】
図４と図５に、本発明の第二の実施例を示す。なお、図４と図５の中で、図１から図３の中の要素と同じ参照番号が付されているものは、対応する図１から図３の中の要素と同じであるため、それらについては説明を省略する。
【００２０】
第二の実施例によれば、栽培床２００の１つ以上の切り欠き部１３を有する側面（例えば、第一側面部４）が、一つ以上の凹部１８、及び一つ以上の凸部１９を備えている。図４に示すように、栽培床２００の第一側面部４及び第二側面部５において、１つ以上の凹部１８、及び１つ以上の凸部１９を備えているが、第一側面部４と第二側面部５のうちの一つの側面部にのみ１つ以上の凹部１８、及び１つ以上の凸部１９を備えていてもよい。また、図４に示すように、第一側面部４に備えられた凹部１８と凸部１９の各々から、第一側面部４に対して略垂直方向に、第二側面部５に備えられた凸部１９と凹部１８の各々が、それぞれ配置されている。これにより、一の栽培床２００と別の栽培床２００を連続して並べて配置する場合に、一の栽培床２００の第一側面部４の凹部１８と凸部１９が、隣接する別の栽培床２００の第二側面部５の凸部１９と凹部１８に、それぞれ嵌合するので、複数の栽培床を連続して並べて配置しやすくなり、定植の作業効率が向上する。
【００２１】
また、苗が切り欠け部１３に確実に保持されるために、図４に示すように、切り欠き部１３は、凹部１８に設けられる。より確実にするには、切り欠き部１３は、凹部１８の底部に設けられることが好ましい。
【実施例３】
【００２２】
図６から図１０に、本発明の第三の実施例を示す。図６から図１０の中で、図１から図５の中の要素と同じ参照番号が付されているものは、対応する図１から図５の中の要素と同じであるため、それらについては説明を省略する。
植物栽培装置５００は、栽培床１００と２００のうちの少なくとも一つの栽培床を含む栽培床群３００または４００を備えている。図６において、栽培床群３００が、栽培床１００を使用して、一の栽培床１００の第一側面部４（３）と、隣接する別の栽培床１００の第二側面部５（３）とが、それぞれ第一突出部分９（８）、第二突出部分１０（８）を介して、重なり合って構成されている、植物栽培装置５００が示されている。
図７において、栽培床群４００が、栽培床２００を使用して、一の栽培床２００の第一の第一側面部４と、隣接する別の栽培床２００の第二側面部５とが、第一突出部分９（８）、第二突出部分１０（８）を介して、重なり合って構成されている、植物栽培装置５００が示されている。
更に、栽培床２００を使用する場合には、図４に示すように、栽培床２００の第一側面部４と第二側面部５において、１つ以上の凹部１８、及び１つ以上の凸部１９を備えており、第一側面部４に備えられた凹部１８及び凸部１９の各々から第一側面部４に対して略垂直方向に、第二側面部５に備えられた凸部１９及び凹部１８の各々が、それぞれ配置されているので、図７に示すように、一の栽培床２００と別の栽培床２００を第一側面部４と第二側面部５に沿って連続して並べて配置する場合、一の栽培床２００の第一側面部４の凹部１８及び凸部１９が、隣接する別の栽培床２００の第二側面部５の凸部１９及び凹部１８にそれぞれ嵌合するように、栽培床群４００は構成されている。
【００２３】
また、植物栽培装置５００は、養液プール２０を備えている。養液プール２０は、上面に養液２１を浸すための凹形状部分２２を有しており、凹形状部分２２に養液２１を供給するための養液供給部２３と、凹形状部分２２から養液２１を排出するための養液排出部２４と、凹形状部分２２に炭酸ガス２５を供給するための炭酸ガス供給部２６と、凹形状部分２２の少なくとも一部を覆うように栽培床群３００または４００を戴置するための栽培床群戴置台２７と、を備えている。なお、炭酸ガス供給部２６からは必要に応じて酸素を注入できるように構成されている。
養液プール２０としては、植物を栽培可能な材質であればどのようなものでも使用することができ、例えば、発泡スチロールを使用することができる。養液プール２０の大きさとしては、例えば、幅方向が約８０ｃｍ、長さ方向が約５〜１０ｍ、高さ方向が約９ｃｍである。
【００２４】
植物の苗は、栽培床１００または２００の切り欠け部１３に挿入されており、養液プール２０の凹形状部分２２に養液供給部２３から供給され、養液排出部２４から排出される養液２１に浸かっている。養液２１の深さの目安は、約５ｃｍである。植物としては、例えば、レタス、水菜、小松菜などがある。
炭酸ガス２５は、炭酸ガス供給部２６から養液プール２０の凹形状部分２２に供給されて、養液プール２０の凹形状部分２２に浸されている養液２１と、養液プール２０の栽培床群戴置台２７の上に戴置された栽培床群４００または５００との間の空間を通って、栽培床１００または２００の通気部１４、１５から通気される。なお、養液２１と栽培床群戴置台２７の上に戴置された栽培床群３００または４００との間に空間を設けることは、養液２１に栽培床群３００または４００が接触しないことになるので、植物の育成が阻害されないという効果を有する。通気部１４、１５から通気された炭酸ガスが、切り欠け部１３に挿入された苗の葉に吸収されることにより、苗の光合成が促進されることとなる。炭酸ガス２５が苗の葉により吸収されやすいようにするために、苗の葉の下方に位置する栽培床１００または２００の切り欠け部１３の近傍に、通気部１４を設けるとよい。例えば、切り欠け部１３から１ｃｍ以内の栽培床１００または２００の部分に通気部１４を設けるとよい。
また、隣接する栽培床１００または２００の切り欠き部１３に挿入された苗の葉に炭酸ガス２５がより吸収されやすいようにするために、切り欠き部１３を有する側面部（例えば、第一側面部４）の反対に位置する側面部（例えば、第二側面部５）の近傍であって、切り欠け部１３から切り欠き部１３を有する側面部（例えば、第一側面部４）に対して略垂直方向に通気部１５を設けてもよい。例えば、切り欠き部１３を有する第一側面部４の反対に位置する第二側面部５より１ｃｍ以内であって、第一側面部４の切り欠け部１３から第一側面部４に対して略垂直方向に通気部１５を設けるとよい。
【００２５】
ガス供給部２６からの炭酸ガス２５の供給としては、栽培床１００または２００の切り欠け部１３の各々の近傍に設けられる通気部１４、１５から通気される炭酸ガス２５の合計量が、１．２〜１．６ｍ３／ｈになるようにするとよい。これは、各切り欠け部１３に挿入された苗のために設けられた通気部１４、１５から通気される炭酸ガス２５の合計量が、１．２〜１．６ｍ３／ｈであることを意味する。例えば、各切り欠け部１３から１ｃｍ以内にある通気部１４、１５から通気される炭酸ガス２５の合計量が、１．２〜１．６ｍ３／ｈである。
このように炭酸ガス２５を供給することにより、レタスであれば、苗の定植から出荷まで炭酸ガスを供給しない場合には３週間程度要していたものが、２週間程度で出荷できるようになる。
【００２６】
図１０に示すように、養液供給部２３は、略直方体の第一側部２８にあって、養液排出部２４は、第一側部２８の反対面に位置する第二側部２９に備えられている。炭酸ガス供給部２６は、第一側部２８にあって、養液供給部２３の上方に備えられている。全ての苗が一様に養液２１から養分を吸収するのであれば、養液供給部２３と養液排出部２４は、略直方体のどの面にあってもよい。または、全ての苗が一様に炭酸ガス２５を供給するのであれば、炭酸ガス供給部２６は、略直方体のどの面にあってもよい。
なお、図１０では、養液プール２０は略直方体であるが、複数の植物栽培装置５００を配置して植物を栽培する場合において、複数の植物栽培装置５００が配置されやすい形状であればどのような形状であってよい。また、養液供給部２３、養液排出部２４、炭酸ガス供給部２６をそれぞれ複数設けていてもよい。
【００２７】
また、栽培床群を、上記のように栽培床１００または２００を縦方向に連続して並べて配置するだけでなく、第一の栽培床１００または２００の第三側面部６と第二の栽培床１００または２００の第四側面部７が重なり合うように配置して、栽培床１００または２００を横方向にも連続して並べて配置することもできる。この場合、第一の栽培床１００または２００の第三側面部６の第三突出部分１１と、第二の栽培床１００または２００の第四側面部７の第四突出部分１２と、が重なり合うように配置されている。栽培床１００または２００の第一側面部７に第三突出部分１１と、第二側面部８に第四突出部分１２を設けることにより、栽培床１００または２００の第三側面部６と第四側面部７に沿って栽培床１００または２００を並べた場合であっても、隣接する栽培床の側面の間から養液面への光も遮断して藻の大量発生を抑えることができる。
【産業上の利用可能性】
【００２８】
以上説明したように、本発明によれば、苗を栽培床に挿入しやすくするとともに苗を痛めにくくし、炭酸ガスを苗の葉の裏側から吸収させやすくして苗の光合成を促進させ、養液面への光を遮断して藻の大量発生を抑えることができるので、植物の栽培効率向上に大いに貢献することが可能である。
【符号の説明】
【００２９】
１          第一表面
２          第二表面
３          側面
４          第一側面部
５          第二側面部
６          第三側面部
７          第四側面部
８          突出部
９          第一突出部分
１０        第二突出部分
１１        第三突出部分
１２        第四突出部分
１３        切り欠き部
１４        通気部
１５        通気部
１６        第一の厚さ
１７        第二の厚さ
１８        少なくとも一つの凹部
１９        少なくとも一つの凸部
２０        養液プール
２１        養液
２２        凹形状部分
２３        養液供給部
２４        養液排出部
２５        炭酸ガス
２６        炭酸ガス供給部
２７        栽培床群戴置台
２８        第一側部
２９        第二側部
１００      栽培床
２００      栽培床
３００      栽培床群
４００      栽培床群
【図１】
2016010388.tif 000003
【図２】
2016010388.tif 000004
【図３】
2016010388.tif 000005
【図４】
2016010388.tif 000006
【図５】
2016010388.tif 000007
【図６】
2016010388.tif 000008
【図７】
2016010388.tif 000009
【図８】
2016010388.tif 000010
【図９】
2016010388.tif 000011
【図１０】
2016010388.tif 000012